(57)【要約】【課題】治具及びワークの交換効率並びにレイアウト性を高めることができる振動溶着装置を提供する。【解決手段】本装置１は、左右のフレーム３，４と、前記左右のフレームの間に上下方向に対向して設けられる上側治具１３及び下側治具１６と、前記上側治具及び前記下側治具を上下方向に相対移動させて該上側治具及び該下側治具に装着されるそれぞれのワークを押圧させる治具移動手段と、前記上側治具及び前記下側治具のうちの少なくとも一方の治具を前記ワークの押圧方向と交差する方向に振動させる振動手段（振動体１２）と、を備え、前記左右のフレームのそれぞれには、前記上側治具、前記下側治具及び前記ワークを左右方向に移動させるための切欠き部７が形成されている。【選択図】図１
2010149426.tif 000002
【特許請求の範囲】
【請求項１】
左右のフレームと、
前記左右のフレームの間に上下方向に対向して設けられる上側治具及び下側治具と、
前記上側治具及び前記下側治具を上下方向に相対移動させて該上側治具及び該下側治具に装着されるそれぞれのワークを押圧させる治具移動手段と、
前記上側治具及び前記下側治具のうちの少なくとも一方の治具を前記ワークの押圧方向と交差する方向に振動させる振動手段と、を備え、
前記左右のフレームのそれぞれには、前記上側治具、前記下側治具及び前記ワークを左右方向に移動させるための切欠き部が形成されていることを特徴とする振動溶着装置。
【請求項２】
前記治具移動手段は、前記左右のフレームの間に昇降自在に支持され且つその上面に前記下側治具が取り付けられるテーブルと、該テーブルを昇降させる送りネジ構造と、該テーブルの昇降を案内するガイド構造と、を有し、
前記送りネジ構造及び前記ガイド構造は、前記上側治具、前記下側治具及び前記ワークが前記切欠き部を介して左右方向に移動するときの移動軌跡からずれた位置に配置されている請求項１記載の振動溶着装置。
【請求項３】
前記テーブルの４隅部のうちの対角となる一対の隅部のそれぞれには前記送りネジ構造が設けられており、対角となる他の一対の隅部のそれぞれには前記ガイド構造が設けられている請求項２記載の振動溶着装置。
【請求項４】
前記送りネジ構造及び前記ガイド構造は、前記テーブルの下方側に配置されている請求項２又は３に記載の振動溶着装置。
【請求項５】
前記左右のフレームのそれぞれは、左右側面視でＣ字状に形成されている請求項１乃至４のいずれか一項に記載の振動溶着装置。
【請求項６】
前記左右のフレームのそれぞれの前記切欠き部の上側及び下側を連繋する補強部材を更に備える請求項１乃至５のいずれか一項に記載の振動溶着装置。
【発明の詳細な説明】
【技術分野】
【０００１】
本発明は、振動溶着装置に関し、さらに詳しくは、治具及びワークの交換効率並びにレイアウト性を高めることができる振動溶着装置に関する。
【背景技術】
【０００２】
従来の振動溶着装置１０１としては、例えば、図７に示すように、左右のフレーム１０３，１０４を有するフレーム構造１０２と、これら左右のフレーム１０３，１０４間に設けられる上側治具１１３及び下側治具１１６と、上側治具１１３に対して下側治具１１６を昇降させ上側治具１１３及び下側治具１１６に装着されるそれぞれのワークを押圧させる治具移動手段１５０と、上側治具１１３をワークの押圧方向（図７中のＺ方向）と交差する方向（例えば、図７中のＸ方向）に振動させる振動体１１２と、を備えてなるものが一般に知られている（例えば、特許文献１参照）。
【０００３】
上記治具移動手段１５０としては、その上面に下側治具１１６が着脱自在に取り付けられるテーブル１１５と、このテーブル１１５の下面中央部に設けられテーブル１１５を昇降させる油圧シリンダ１２３と、このテーブル１１５の左右の突出縁部に設けられたガイド孔１１５ａに挿通される左右一対のガイドバー１２５と、を有するものが知られている。
【０００４】
そして、上記フレーム構造１０２には、通常、前後方向（図７中のＹ方向）に開放する開放部１０８が形成されており、治具交換の際には、振動体１１２及びテーブル１１５から取り外された治具１１３，１１６を開放部１０８を介して前後方向に移動させてフレーム構造１０２の外部に取り出すと共に、新たな治具１１３，１１６を開放部１０８を介して前後方向に移動させてフレーム構造１０２の内部に挿入して振動体１１２及びテーブル１１５に取り付けることが行われる。また、ワーク交換の際にも、上述の治具交換と略同様にして、治具１１３，１１６から取り外されたワーク（図示省略）を開放部１０８を介して前後方向に移動させてフレーム構造１０２の外部に取り出すと共に、新たなワークを開放部１０８を介して前後方向に移動させてフレーム構造１０２の内部に挿入して治具１１３，１１６に取り付けることが行われる。
【０００５】
ここで、治具及びワークの交換効率並びに装置のレイアウト性といった観点から、左右のフレーム１０３，１０４に対して治具１１３，１１６及びワークを左右方向（図７中のＸ方向）に移動させて交換することが望まれている。特に、ロボットハンド等によりワークを自動交換させる場合には、ワークを左右方向に移動させることができれば、ワークの交換効率及びレイアウト性を極めて高めることができる。
【０００６】
しかし、上述の振動溶着装置１０１では、左右のフレーム１０３，１０４が複数の長尺材を縦横に枠組みして構成されているので、左右のフレーム１０３，１０４が治具１１３，１１６及びワークの左右方向の移動の邪魔となり、治具１１３，１１６及びワークを左右方向に移動させて交換することが困難である。また、上述の振動溶着装置１０１では、ガイドバー１２５がテーブル１１５の幅方向の略中央部に配置されているので、これらのガイドバー１２５が治具１１３，１１６及びワークの左右方向の移動の邪魔となり、やはり治具１１３，１１６及びワークを左右方向に移動させて交換することが困難である。なお、左右のガイドバー１２５をテーブル１１５の幅方向の一端側（前方側又は後方側）に単純にずらしても、振動溶着時の振動体１１２による振動バランスがくずれてしまう恐れがある。
【０００７】
【特許文献１】特開平５−１１６２２０号公報
【発明の開示】
【発明が解決しようとする課題】
【０００８】
本発明は、上記現状に鑑みてなされたものであり、治具及びワークの交換効率並びにレイアウト性を高めることができる振動溶着装置を提供することを目的とする。
本発明は、上記目的に加えて、振動溶着時の振動手段による振動バランスのくずれを抑制することができる振動溶着装置を提供することを他の目的とする。
【課題を解決するための手段】
【０００９】
本発明は、以下の通りである。
１．左右のフレームと、
前記左右のフレームの間に上下方向に対向して設けられる上側治具及び下側治具と、
前記上側治具及び前記下側治具を上下方向に相対移動させて該上側治具及び該下側治具に装着されるそれぞれのワークを押圧させる治具移動手段と、
前記上側治具及び前記下側治具のうちの少なくとも一方の治具を前記ワークの押圧方向と交差する方向に振動させる振動手段と、を備え、
前記左右のフレームのそれぞれには、前記上側治具、前記下側治具及び前記ワークを左右方向に移動させるための切欠き部が形成されていることを特徴とする振動溶着装置。
２．前記治具移動手段は、前記左右のフレームの間に昇降自在に支持され且つその上面に前記下側治具が取り付けられるテーブルと、該テーブルを昇降させる送りネジ構造と、該テーブルの昇降を案内するガイド構造と、を有し、
前記送りネジ構造及び前記ガイド構造は、前記上側治具、前記下側治具及び前記ワークが前記切欠き部を介して左右方向に移動するときの移動軌跡からずれた位置に配置されている上記１．記載の振動溶着装置。
３．前記テーブルの４隅部のうちの対角となる一対の隅部のそれぞれには前記送りネジ構造が設けられており、対角となる他の一対の隅部のそれぞれには前記ガイド構造が設けられている上記２．記載の振動溶着装置。
４．前記送りネジ構造及び前記ガイド構造は、前記テーブルの下方側に配置されている上記２．又は３．に記載の振動溶着装置。
５．前記左右のフレームのそれぞれは、左右側面視でＣ字状に形成されている上記１．乃至４．のいずれか一項に記載の振動溶着装置。
６．前記左右のフレームのそれぞれの前記切欠き部の上側及び下側を連繋する補強部材を更に備える上記１．乃至５．のいずれか一項に記載の振動溶着装置。
【発明の効果】
【００１０】
本発明の振動溶着装置によると、左右のフレームのそれぞれに切欠き部が形成されているので、治具及びワーク交換の際に、治具及びワークを切欠き部を介して左右方向に移動させて交換することができる。その結果、治具及びワークの交換効率並びに装置のレイアウト性を高めることができる。特に、ロボットハンド等によりワークを自動交換させる場合には、ワークを左右方向に移動させることにより、ワークの交換効率を極めて高めることができる。
また、前記治具移動手段が、前記左右のフレームの間に昇降自在に支持され且つその上面に前記下側治具が取り付けられるテーブルと、該テーブルを昇降させる送りネジ構造と、該テーブルの昇降を案内するガイド構造と、を有し、前記送りネジ構造及び前記ガイド構造が、前記上側治具、前記下側治具及び前記ワークが前記切欠き部を介して左右方向に移動するときの移動軌跡からずれた位置に配置されている場合は、治具及びワーク交換の際に、治具及びワークを、送りネジ構造及びガイド構造に干渉することなくさらに円滑に左右方向に移動させることができる。
また、前記テーブルの４隅部のうちの対角となる一対の隅部のそれぞれには前記送りネジ構造が設けられており、対角となる他の一対の隅部のそれぞれには前記ガイド構造が設けられている場合は、テーブルの４隅部が送りネジ構造及びガイド構造により支持されるので、振動溶着時の振動手段による振動バランスのくずれを抑制することができる。また、テーブルを円滑に昇降させることができる。
また、前記送りネジ構造及び前記ガイド構造が、前記テーブルの下方側に配置されている場合は、テーブルの上方側に送りネジ構造及びガイド構造が存在しないので、治具及びワークをさらに円滑に左右方向に移動させることができる。
また、前記左右のフレームのそれぞれが、左右側面視でＣ字状に形成されている場合は、治具及びワークの交換のための空間として切欠き部の開口端側を利用できるので、治具及びワークをさらに円滑に左右方向に移動させることができる。
さらに、前記左右のフレームのそれぞれの前記切欠き部の上側及び下側を連繋する補強部材を更に備える場合は、補強部材により切欠き部の上側の撓みが抑制され、左右のフレームの強度を高めることができる。その結果、振動溶着時の振動手段による振動バランスのくずれをより確実に抑制することができる。
【発明を実施するための最良の形態】
【００１１】
１．振動溶着装置
本実施形態１．に係る振動溶着装置は、以下に述べる左右のフレーム、上側治具、下側治具、治具移動手段、及び振動手段を備えている。この振動溶着装置は、例えば、後述する補強部材を更に備えることができる。
なお、本実施形態１．において、「左右方向」とは、左右のフレームの対向方向を意図する。また「前後方向」とは、左右のフレームの対向方向と直交する方向を意図する。
【００１２】
上記「左右のフレーム」の構成、形状、大きさ、材質、設置形態等は特に問わない。この左右のフレームのそれぞれには切欠き部が形成されている。この切欠き部は、上側治具、下側治具及びワークを左右方向に移動させ得る限り、その形状、大きさ、個数、設置形態等は特に問わない。
上記左右のフレームの左右側面視の形状としては、例えば、Ｃ字状、Ｏ字状、Ｌ字状、異形状等を挙げることができる。これらのうちＣ字状であることが好ましい。
上記左右のフレームとしては、例えば、（１）板材からなる形態（例えば、図２参照）、（２）複数の長尺材を組み付けてなる形態（例えば、図５参照）等を挙げることができる。これらのうち、フレーム強度といった観点から、上記（１）形態であることが好ましい。
上記左右のフレームには、例えば、切欠き部を開閉するカバー部材が設けられていることができる。これにより、振動溶着時には、カバー部材で切欠き部を閉鎖して防塵性を高めることができる。上記カバー部材の開閉形態としては、例えば、自動式、手動式等を挙げることができる。
【００１３】
上記「上側治具及び下側治具」は、上記左右のフレームの間に上下方向に対向して設けられる限り、その構成、形状、大きさ、材質、設置形態等は特に問わない。これら上側治具及び下側治具には、通常、ワークが着脱自在に装着される。
【００１４】
上記「治具移動手段」は、上側治具及び下側治具を上下方向に相対移動させて上側治具及び下側治具に装着されるそれぞれのワークを押圧させる限り、その構成、形状、大きさ、設置形態、昇降支持形態等は特に問わない。
【００１５】
上記「振動手段」は、上側治具及び下側治具のうちの少なくとも一方の治具をワークの押圧方向と交差する方向に振動させる限り、その構成、形状、大きさ、設置形態、振動形態等は特に問わない。
上記振動手段は、例えば、振動発生器を有し且つその下面側に上側治具が取り付けられる振動体を備えることができる。この振動発生器としては、例えば、回転式バイブレータを用いる形態、電磁式バイブレータを用いる形態、超音波を用いる形態等を挙げることができる。
【００１６】
本実施形態１．の振動溶着装置としては、例えば、上記治具移動手段は、左右のフレームの間に昇降自在に支持され且つその上面に下側治具が取り付けられるテーブルと、このテーブルを昇降させる送りネジ構造と、このテーブルの昇降を案内するガイド構造と、を有し、上記送りネジ構造及びガイド構造は、上側治具、下側治具及びワークが切欠き部を介して左右方向に移動するときの移動軌跡からずれた位置に配置されている形態を挙げることができる。
上記治具の移動軌跡は、通常、治具の高さ以上の高さと、治具の前後方向の幅以上の幅とを有している（例えば、図１中に破線で示す。）。また、上記ワークの移動軌跡は、通常、ワークの高さ以上の高さと、ワークの前後方向の幅以上の幅とを有している。
上記送りネジ構造は、例えば、上下方向に延びるネジ軸と、このネジ軸に螺合されるナット体と、ネジ軸又はナット体を回転させる回転駆動源と、を有していることができる。
上記ガイド構造は、例えば、上下方向に延びるガイドバーと、このガイドバーに摺動自在に支持されるガイド体と、を有していることができる。
【００１７】
上述の形態の場合、例えば、上記テーブルの４隅部のうちの対角となる一対の隅部のそれぞれには送りネジ構造が設けられており、対角となる他の一対の隅部のそれぞれにはガイド構造が設けられていることができる。
この場合、上記送りネジ構造及びガイド構造としては、例えば、（１）テーブルの下方側に配置され且つテーブルの上方側に配置されていない形態（例えば、図１参照）、（２）テーブルの上方側及び下方側に配置されている形態（例えば、図４参照）等を挙げることができる。
【００１８】
上記「補強部材」は、上記左右のフレームのそれぞれの切欠き部の上側及び下側を連繋する部材である限り、その構成、形状、大きさ、設置形態、補強形態等は特に問わない。
上述のように左右のフレームの左右側面視の形状がＣ字状である場合、上記補強部材は、切欠き部の開口端側の上側及び下側を連繋することが好ましい。補強部材により切欠き部の上側の撓みをより確実に抑制できるためである。
上記補強部材としては、例えば、（１）切欠き部に臨んで切欠き部の上側及び下側を連繋する状態と、切欠き部から脱して切欠き部の上側及び下側の連繋を解除する状態とに変位可能に設けられている形態（例えば、図６参照）、（２）切欠き部に対して着脱自在に設けられている形態、（３）切欠き部に対して固定的に設けられている形態等を挙げることができる。
上記（１）（２）形態によると、振動溶着時のフレームの強度を高め得ると共に、非振動溶着時の治具及びワークの左右方向の移動性を高めることができる。
【００１９】
なお、本実施形態１．の振動溶着装置としては、例えば、左右のフレームの間には、上側治具、下側治具及びワークを前後方向に移動させるための開放部が形成されている形態を挙げることができる。これにより、治具及びワークの交換の際に、治具及びワークを切欠き部を介して左右方向に移動させて交換したり、開放部を介して前後方向に移動させて交換したりできる。その結果、治具及びワークの交換効率並びにレイアウト性を高めることができる。
上記左右のフレームには、例えば、開放部を開閉するカバー部材が設けられていることができる。これにより、振動溶着時には、カバー部材で開放部を閉鎖して防塵性を高めることができる。上記カバー部材の開閉形態としては、例えば、自動式、手動式等を挙げることができる。
【実施例】
【００２０】
以下、図面を用いて実施例により本発明を具体的に説明する。なお、本実施例において、「左右方向」とは左右のフレームの対向方向（図１中のＸ方向）を意図する。また、「前後方向」とは左右のフレームの対向方向と直交する水平方向（図１中のＹ方向）を意図する。
【００２１】
（１）振動溶着装置の構成
本実施例に係る振動溶着装置１は、図１及び図２に示すように、その内部に各種の機構部を保持するフレーム構造２を備えている。このフレーム構造２は、板材からなる左右のフレーム３，４を備えている。これら左右のフレーム３，４の上端側の各隅部の間には、前後の角パイプ材５が掛け渡されている。また、左右のフレーム３，４の下端側の間には、前後左右の角パイプ材５を枠組みしてなる矩形状の枠材６が設けられている。
【００２２】
上記左右のフレーム３，４の高さ方向の略中央部には、後述する治具及びワークを左右方向に移動させるための切欠き部７，７がそれぞれ形成されている。各切欠き部７は、フレーム３，４の前面側に開口する開口端側７ａを有している。したがって、左右のフレーム３，４は、左右側面視でＣ字状となっている。また、上記左右のフレーム３，４の間には、後述する治具及びワークを前後方向に移動させるための開放部８が形成されている。
【００２３】
上記左右のフレーム３，４の上端側の間には、Ｌ字状のブラケット９を介して平面矩形状の上側テーブル１１が取り付けられている。この上側テーブル１１の下面側には、振動発生器として周知の電磁式バイブレータ（図示省略）を内蔵する振動体１２（本発明に係る「振動手段」として例示する。）が取り付けられている。この振動体１２の下面側には、上側治具１３（「上型部」とも呼ばれる。）が着脱自在に取り付けられている。この上側治具１３には樹脂製等のワーク（図示省略）が着脱自在に取り付けられる。そして、振動体１２は、上側治具１３をワーク（図示省略）の押圧方向（図１中のＺ方向）と直交する方向（例えば、図１中のＸ方向）に振動させるようになっている。
【００２４】
上記左右のフレーム３，４の間には、平面矩形状の下側テーブル１５（本発明に係る「テーブル」として例示する。）が昇降可能に設けられている。この下側テーブル１５の上面側には、下側治具１６（「下型部」とも呼ばれる。）が着脱自在に取り付けられている。この下側治具１６には樹脂製等のワーク（図示省略）が着脱自在に取り付けられる。
【００２５】
上記下側テーブル１５の４隅部１５ａ〜１５ｄのうちの対角となる一対の隅部１５ａ，１５ｃのそれぞれには、上側テーブル１５を昇降させる送りネジ構造１７，１７が設けられている。これら各送りネジ構造１７は、その上端側が下側テーブル１５の隅部１５ａ，１５ｃに固定されるネジ軸１８と、このネジ軸１８に螺合されるナット体１９とを有している。このナット体１９は、フレーム３，４に固定されたブラケット２１に垂直軸回りに回転自在に支持されている。また、ナット体１９の下端側のプーリ１９ａと、フレーム４に固定されたブラケット２２に取り付けられた駆動モータ２３の駆動軸のプーリ２３ａとの間には動力伝達用のベルト２４が巻き回されている。したがって、駆動モータ２３を正逆方向に駆動させると、ナット体１９の回転によりネジ軸１８が上下方向に移動されて下側テーブル１５が昇降するようになっている。そして、この下側テーブル１５を上昇させることによって、上側治具１３に装着されるワークと下側治具１６に装着されるワークとを上下方向に所定の加圧力で押圧させるようになっている。
【００２６】
上記下側テーブル１５の４隅部１５ａ〜１５ｄのうちの対角となる他の一対の隅部１５ｂ，１５ｄのそれぞれには、上側テーブル１５の昇降を案内するガイド構造２６，２６が設けられている。これら各ガイド構造２６は、その上端側が下側テーブル１５の隅部１５ｂ，１５ｄに固定されたガイドバー２７と、このガイドバー２７に摺動自在に支持される筒状のガイド部２８とを有している。このガイド部２８の下端側は、フレーム３，４に固定されたブラケット２９に取り付けられている。そして、このガイド部２８に対してガイドバー２７が摺動することにより、下側テーブル１５の昇降が案内されるようになっている。
【００２７】
上記送りネジ構造１７及びガイド構造２６は、下側テーブル１５の下方側に配置され且つ下側テーブル１５の上方側に配置されていない。すなわち、送りネジ構造１７を構成するネジ軸１８、ナット体１９及び駆動モータ２３等は下側テーブル１５より下方側に配置されており、ネジ軸１８の上端側は下側テーブル１５の上面より上方に突出していない。また、ガイド構造２６を構成するガイドバー２７及びガイド部２８等は下側テーブル１５より下方側に配置されており、ガイドバー２７の上端側は下側テーブル１５の上面より上方に突出していない。したがって、送りネジ構造１７及びガイド構造２６は、治具１３，１６が切欠き部７を介して左右方向に移動するときの移動軌跡Ｌ（図１中に破線で示す。）からずれた位置に配置されていると共に、ワークが切欠き部７を介して左右方向に移動するときの移動軌跡（図示省略）からずれた位置に配置されている。この治具１３，１６の移動軌跡Ｌは、治具１３，１６の高さ以上の高さと、治具１３，１６の前後方向の幅以上の幅とを有している。また、このワークの移動軌跡は、ワークの高さ以上の高さと、ワークの前後方向の幅以上の幅とを有している。
【００２８】
ここで、本実施例に係る下側テーブル１５、送りネジ構造１７及びガイド構造２６によって、本発明に係る「治具移動手段」が構成されていると言える。
【００２９】
（２）振動溶着装置の作用
次に、上記構成の振動溶着装置１の作用について説明する。
振動溶着の際には、図１に示すように、駆動モータ２３の駆動により送りネジ構造１７を作動させて、上側テーブル１１に対して下側テーブル１５を上昇させる。すると、上側治具１３に装着されるワークと下側治具１６に装着されるワークとが上下方向に所定の加圧力で押圧される。この状態において、振動体１２により上側治具１３をワークの押圧方向（図１中のＺ方向）と直交する方向（例えば、図１中のＸ方向）に振動させる。すると、両ワークの押圧面の間に摩擦熱が発生して両ワークが溶着される。
【００３０】
次に、ワーク交換の際には、駆動モータ２３の駆動により送りネジ構造１７を作動させて、上側テーブル１１に対して下側テーブル１５を下降させて上側治具１３と下側治具１６とを離間させる。次いで、溶着された両ワークを下側治具１６又は上側治具１３から取り外す。その後、その両ワークを、切欠き部７を介して左右方向に移動させたり、開放部８を介して前後方向に移動させたりしてフレーム構造２の外部に取り出す。次に、新たなワークを、切欠き部７を介して左右方向に移動させたり、開放部８を介して前後方向に移動させたりしてフレーム構造２の内部に取り入れる。次いで、それらのワークを上側治具１３及び下側治具１６のそれぞれに装着してワーク交換作業が完了する。
【００３１】
次に、下側治具１６の交換の際には、駆動モータ２３の駆動により送りネジ構造１７を作動させて、上側テーブル１１に対して下側テーブル１５を下降させて上側治具１３と下側治具１６とを離間させる。次いで、下側治具１６を下側テーブル１５から取り外す。その後、図３に示すように、その下側治具１６を、切欠き部７を介して左右方向に移動させたり、開放部８を介して前後方向に移動させたりしてフレーム構造２の外部に取り出す。次に、新たな下側治具１６を、切欠き部７を介して左右方向に移動させたり、開放部８を介して前後方向に移動させたりしてフレーム構造２の内部に取り入れる。次いで、その下側治具１６を下側テーブル１５に装着して下側治具１６の交換作業が完了する。なお、上側治具１３の交換についても、下側治具１６の交換作業と略同様の手順で交換されることとなる。
【００３２】
（３）実施例の効果
以上より、本実施例の振動溶着装置１によると、左右のフレーム３，４のそれぞれに切欠き部７，７を形成したので、治具１３，１６及びワーク交換の際に、治具１３，１６及びワークを切欠き部７を介して左右方向に移動させて交換することができる。その結果、治具１３，１６及びワークの交換効率並びに装置のレイアウト性を高めることができる。特に、ロボットハンド等によりワークを自動交換させる場合には、ワークを左右方向に移動させることにより、ワークの交換効率を極めて高めることができる。
【００３３】
また、本実施例では、治具移動手段を、左右のフレーム３，４の間に昇降自在に支持され且つその上面に下側治具１６が取り付けられる下側テーブル１５と、この下側テーブル１５を昇降させる送りネジ構造１７と、この下側テーブル１５の昇降を案内するガイド構造２６と、を有して構成し、これら送りネジ構造１７及びガイド構造２６を、治具１３，１６及びワークが切欠き部７を介して左右方向に移動するときの移動軌跡Ｌからずれた位置に配置したので、治具１３，１６及びワーク交換の際に、治具１３，１６及びワークを、送りネジ構造１７及びガイド構造２６に干渉することなくさらに円滑に左右方向に移動させることができる。
【００３４】
また、本実施例では、下側テーブル１５の４隅部１５ａ〜１５ｄのうちの対角となる一対の隅部１５ａ，１５ｃのそれぞれに送りネジ構造１７を設け、対角となる他の一対の隅部１５ｂ，１５ｄのそれぞれにガイド構造２６を設けるようにしたので、下側テーブル１５の４隅部１５ａ〜１５ｄが送りネジ構造１７及びガイド構造２６により支持される。そのため、振動溶着時の振動体１２による振動バランスのくずれを抑制することができる。また、下側テーブル１５を円滑に昇降させることができる。
【００３５】
また、本実施例では、送りネジ構造１７及びガイド構造２６を下側テーブル１５の下方側に配置したので、下側テーブル１５の上方側に送りネジ構造１７及びガイド構造２６が存在しない。そのため、治具１３，１６及びワークをさらに円滑に左右方向に移動させることができる。
【００３６】
また、本実施例では、左右のフレーム３，４のそれぞれを左右側面視でＣ字状に形成したので、治具１３，１６及びワークの交換のための空間として切欠き部７の開口端側７ａを利用できる。そのため、治具１３，１６及びワークをさらに円滑に左右方向に移動させることができる。
【００３７】
さらに、本実施例では、左右のフレーム３，４のそれぞれを板材から構成したので、左右のフレーム３，４の強度を高めることができる。その結果、振動溶着時の振動体１２による振動バランスのくずれをより確実に抑制することができる。
【００３８】
尚、本発明においては、上記実施例に限られず、目的、用途に応じて本発明の範囲内で種々変更した実施例とすることができる。即ち、上記実施例では、送りネジ構造１７及びガイド構造２６を下側テーブル１５の下方側のみに配置する形態を例示したが、これに限定されず、例えば、図４に示すように、送りネジ構造３０及びガイド構造３１を下側テーブル１５の上方側及び下方側に配置するようにしてもよい。この場合、送りネジ構造３０としては、例えば、その下端側が駆動モータ３４の駆動軸に直結されるネジ軸３５と、このネジ軸３５に螺合され且つ下側テーブル１５の隅部１５ａ，１５ｃに取り付けられるナット体３６とを有する形態を採用することができる。このネジ軸３５は、下側テーブル１５の上方側及び下方側に配置されている。また、ガイド構造３１としては、例えば、その下端側がブラケット３７を介してフレーム３，４に固定されたガイドバー３８と、このガイドバー３８に摺動自在に支持され且つ下側テーブル１５の隅部１５ｂ，１５ｄに固定される筒状のガイド部３９とを有する形態を採用することができる。
【００３９】
また、上記実施例では、板材からなる左右のフレーム３，４を例示したが、これに限定されず、例えば、図５に示すように、複数の長尺材４０を縦横に枠組みしてなる左右のフレーム４１，４２としてもよい。なお、上記長尺材４０としては、例えば、角パイプ材、丸パイプ材、角中実材、丸中実材、鋼材（例えば、Ｈ形鋼、Ｃ形候など）等を挙げることができる。
【００４０】
また、上記実施例では、左右のフレーム３，４の切欠き部７の開口端側７ａに何ら補強部材を設けない形態を例示したが、これに限定されず、例えば、図５中に仮想線で示すように、切欠き部４３の開口端側４３ａに切欠き部４３の上側及び下側を連繋する棒状の補強部材４４を設けるようにしてもよい。この補強部材４４により切欠き部４３の上側の撓みが抑制され、左右のフレーム４１，４２の強度を高めることができ、振動溶着時の振動体１２による振動バランスのくずれをより確実に抑制することができる。なお、上記補強部材４４は、例えば、切欠き部４３に対して着脱自在に設けられていてもよいし、切欠き部４３に対して固定的に設けられていてもよい。
【００４１】
さらに、上記実施例において、図６に示すように、フレーム３，４の外面にブラケット４６を介して取り付けられるシリンダ４７のピストンロッド４７ａの先端側に棒状の補強部材４８の上端側を固定し、シリンダ４７の作動によって、補強部材４８を、切欠き部７に臨んで切欠き部７の上側及び下側を連繋する状態（図６（ａ）参照）と、切欠き部７から脱して切欠き部７の上側及び下側の連繋を解除する状態（図６（ｂ）参照）とに変位可能に設けるようにしてもよい。なお、補強部材４８の下端側は、ロックシリンダ４９のピストンロッドの出没によりロック・解除されることが好ましい。
【産業上の利用可能性】
【００４２】
治具及びワークの交換効率及びレイアウト性を高めてワークを振動溶着する技術として広く利用される。
【図面の簡単な説明】
【００４３】
【図１】実施例に係る振動溶着装置を示す斜視図である。
【図２】上記振動溶着装置のフレーム構造を示す斜視図である。
【図３】上記振動溶着装置の治具交換の作用を説明するための説明図である。
【図４】その他の形態の振動溶着装置を示す斜視図である。
【図５】その他の形態のフレーム構造を示す斜視図である。
【図６】その他の形態の振動溶着装置を示す要部斜視図であり、（ａ）は補強部材による補強状態を示し、（ｂ）は非補強状態を示す。
【図７】従来の振動溶着装置を示す斜視図である。
【符号の説明】
【００４４】
１；振動溶着装置、３，４，４１，４２；フレーム、７，４３；切欠き部、１２；振動体、１３；上側治具、１５；下側テーブル、１５ａ〜１５ｄ；４隅部、１６；下側治具、１７，３０；送りネジ構造、２６，３１；ガイド構造、４４，４８；補強部材、Ｌ；移動奇跡。
【図１】
2010149426.tif 000003
【図２】
2010149426.tif 000004
【図３】
2010149426.tif 000005
【図４】
2010149426.tif 000006
【図５】
2010149426.tif 000007
【図６】
2010149426.tif 000008
【図７】
2010149426.tif 000009